(57)【要約】【課題】凹凸が存在する測定試料表面を走査型プローブ顕微鏡によって測定する際に、測定される物性値が凹凸の影響を受けないようにしながら、短時間で正確に凹凸や物性値を測定できるようにする。【解決手段】走査型プローブ顕微鏡の制御装置２０を、測定試料の表面上の一のラインを走査するための第１制御信号を出力する第１制御信号出力部２１Ａと、第１制御信号に応じた一のラインの走査によって得られた測定試料表面の凹凸情報に基づいて一のラインの凹部又は凸部における走査速度を凹部又は凸部以外の部分における走査速度よりも遅く設定する走査速度設定部２３と、設定された一のラインの走査速度に基づいて一のラインを走査するための第２制御信号を出力する第２制御信号出力部２１Ｂとを備えるものとする。【選択図】図１
2014235096.tif 000002
【特許請求の範囲】
【請求項１】
コンピュータに、
測定試料の表面上の一のラインを走査するための第１制御信号を出力し、
前記第１制御信号に応じた前記一のラインの走査によって得られた前記測定試料表面の凹凸情報に基づいて前記一のラインの凹部又は凸部における走査速度を前記凹部又は前記凸部以外の部分における走査速度よりも遅く設定し、
設定された前記一のラインの走査速度に基づいて前記一のラインを走査するための第２制御信号を出力する、処理を実行させることを特徴とする走査型プローブ顕微鏡の制御プログラム。
【請求項２】
前記第１制御信号を出力する処理において、前記一のラインの往路を走査するための制御信号を出力する処理を前記コンピュータに実行させ、
前記走査速度を設定する処理において、前記第１制御信号に応じた前記一のラインの往路の走査によって得られた前記測定試料表面の凹凸情報に基づいて前記一のラインの復路の凹部又は凸部における走査速度を前記凹部又は前記凸部以外の部分における走査速度よりも遅く設定する処理を前記コンピュータに実行させ、
前記第２制御信号を出力する処理において、設定された前記一のラインの復路の走査速度に基づいて前記一のラインの復路を走査するための制御信号を出力する処理を前記コンピュータに実行させることを特徴とする、請求項１に記載の走査型プローブ顕微鏡の制御プログラム。
【請求項３】
前記第１制御信号を出力する処理において、前記一のラインの往路及び復路を走査するための制御信号を出力する処理を前記コンピュータに実行させ、
前記走査速度を設定する処理において、前記第１制御信号に応じた前記一のラインの往路及び復路の走査によって得られた前記測定試料表面の凹凸情報に基づいて前記一のラインの往路及び復路の凹部又は凸部における走査速度を前記凹部又は前記凸部以外の部分における走査速度よりも遅く設定する処理を前記コンピュータに実行させ、
前記第２制御信号を出力する処理において、設定された前記一のラインの往路及び復路の走査速度に基づいて前記一のラインの往路及び復路を走査するための制御信号を出力する処理を前記コンピュータに実行させることを特徴とする、請求項１に記載の走査型プローブ顕微鏡の制御プログラム。
【請求項４】
前記走査速度を設定する処理において、前記第１制御信号に応じた前記一のラインの走査によって得られた前記測定試料表面の凹凸情報に基づいて、前記一のラインの前記凹部の側面又は前記凸部の側面における走査速度を前記一のラインの前記凹部の底面又は前記凸部の頂面における走査速度よりも遅く設定する処理を前記コンピュータに実行させることを特徴とする、請求項１〜３のいずれか１項に記載の走査型プローブ顕微鏡の制御プログラム。
【請求項５】
前記走査速度を設定する処理において、前記一のラインの前記凹部の深さ又は前記凸部の高さが第１設定値を超えている場合に、前記一のラインの凹部又は凸部における走査速度を前記凹部又は前記凸部以外の部分における走査速度よりも遅く設定する処理を前記コンピュータに実行させ、
さらに、前記第１制御信号に応じた前記一のラインの走査によって得られた前記測定試料表面の凹凸情報と、前記第２制御信号に応じた前記一のラインの走査によって得られた前記測定試料表面の凹凸情報との差が第２設定値を超えている場合に、前記第１設定値を小さい値に変更して、前記第１制御信号を出力する処理、前記走査速度を設定する処理及び前記第２制御信号を出力する処理を前記コンピュータに実行させることを特徴とする、請求項１、２、４のいずれか１項に記載の走査型プローブ顕微鏡の制御プログラム。
【請求項６】
コンピュータが、
測定試料の表面上の一のラインを走査するための第１制御信号を出力し、
前記第１制御信号に応じた前記一のラインの走査によって得られた前記測定試料表面の凹凸情報に基づいて前記一のラインの凹部又は凸部における走査速度を前記凹部又は前記凸部以外の部分における走査速度よりも遅く設定し、
設定された前記一のラインの走査速度に基づいて前記一のラインを走査するための第２制御信号を出力する、処理を実行することを特徴とする走査型プローブ顕微鏡の制御方法。
【請求項７】
測定試料の表面上の一のラインを走査するための第１制御信号を出力する第１制御信号出力部と、
前記第１制御信号出力部から出力された前記第１制御信号に応じた前記一のラインの走査によって得られた前記測定試料表面の凹凸情報に基づいて前記一のラインの凹部又は凸部における走査速度を前記凹部又は前記凸部以外の部分における走査速度よりも遅く設定する走査速度設定部と、
前記走査速度設定部によって設定された前記一のラインの走査速度に基づいて前記一のラインを走査するための第２制御信号を出力する第２制御信号出力部とを備えることを特徴とする走査型プローブ顕微鏡の制御装置。
【発明の詳細な説明】
【技術分野】
【０００１】
本発明は、走査型プローブ顕微鏡の制御プログラム、制御方法及び制御装置に関する。
【背景技術】
【０００２】
走査型プローブ顕微鏡（Scanning Probe Microscopy；ＳＰＭ）は、原子オーダの測定試料表面の凹凸や物性値（例えば電流特性値や圧電応答特性値）を測定可能であり、理工学、医学、薬学、農学分野等で広く活用されている。
この走査型プローブ顕微鏡としては、探針−試料間の空間制御方法等によって、種々のものが存在する。代表的なものとして、走査型トンネル顕微鏡（Scanning Tunneling Microscopy；ＳＴＭ）や原子間力顕微鏡（AtomicForceMicroscopy；ＡＦＭ）がある。ここで、走査型トンネル顕微鏡は、探針−試料間のトンネル電流が一定となるようにフィードバック制御しながら探針で測定試料表面を走査し、凹凸や物性値を測定可能である。一方、原子間力顕微鏡は、探針−試料間の原子間力が一定となるようにフィードバック制御しながら探針で測定試料表面を走査し、凹凸や物性値を測定可能である。
【先行技術文献】
【特許文献】
【０００３】
【特許文献１】特開２００７−１０１２８８号公報
【発明の概要】
【発明が解決しようとする課題】
【０００４】
ところで、測定試料の表面には、例えばクレータ、粒界、加工起因の溝等の凹凸が存在する。このような凹凸が存在する測定試料表面を走査型プローブ顕微鏡によって測定すると、測定される物性値が凹凸の影響を受けてしまう。
この場合、例えば、測定される物性値が凹凸の影響を受けないように走査速度を遅くすることが考えられる。
【０００５】
しかしながら、凹凸が存在する測定試料の表面全体を、遅い走査速度で走査して、凹凸や物性値の測定を行なうと、測定に長時間を要することになる。そして、測定に長時間を要すると、測定試料の位置がずれたり、測定試料の表面に電荷がたまって探針がホッピングしたりする場合があり、この結果、凹凸や物性値を正確に測定するのが難しくなる。
また、例えば、凹凸が存在する測定試料の表面全体を、事前に走査速度を変えて複数回測定し、これらの測定結果に基づいて測定可能な最大走査速度を設定し、この最大走査速度に基づいて測定試料の表面全体の測定を行なうことが考えられる。
【０００６】
しかしながら、測定可能な最大走査速度は、凹凸部分を測定可能かどうかで決まるため、凹凸部分以外の部分を測定する際の走査速度としては遅いものとなる。このため、測定可能な最大走査速度に基づいて凹凸が存在する測定試料の表面全体の測定を行なうと、測定に長時間を要することになる。そして、測定に長時間を要すると、測定試料の位置がずれたり、測定試料の表面に電荷がたまって探針がホッピングしたりする場合があり、この結果、凹凸や物性値を正確に測定するのが難しくなる。
【０００７】
そこで、凹凸が存在する測定試料表面を走査型プローブ顕微鏡によって測定する際に、測定される物性値が凹凸の影響を受けないようにしながら、短時間で正確に凹凸や物性値を測定できるようにしたい。
【課題を解決するための手段】
【０００８】
本走査型プローブ顕微鏡の制御プログラムは、コンピュータに、測定試料の表面上の一のラインを走査するための第１制御信号を出力し、第１制御信号に応じた一のラインの走査によって得られた測定試料表面の凹凸情報に基づいて一のラインの凹部又は凸部における走査速度を凹部又は凸部以外の部分における走査速度よりも遅く設定し、設定された一のラインの走査速度に基づいて一のラインを走査するための第２制御信号を出力する、処理を実行させることを要件とする。
【０００９】
本走査型プローブ顕微鏡の制御方法は、コンピュータが、測定試料の表面上の一のラインを走査するための第１制御信号を出力し、第１制御信号に応じた一のラインの走査によって得られた測定試料表面の凹凸情報に基づいて前記一のラインの凹部又は凸部における走査速度を凹部又は凸部以外の部分における走査速度よりも遅く設定し、設定された一のラインの走査速度に基づいて一のラインを走査するための第２制御信号を出力する、処理を実行することを要件とする。
【００１０】
本走査型プローブ顕微鏡の制御装置は、測定試料の表面上の一のラインを走査するための第１制御信号を出力する第１制御信号出力部と、第１制御信号出力部から出力された第１制御信号に応じた一のラインの走査によって得られた前記測定試料表面の凹凸情報に基づいて一のラインの凹部又は凸部における走査速度を凹部又は凸部以外の部分における走査速度よりも遅く設定する走査速度設定部と、走査速度設定部によって設定された一のラインの走査速度に基づいて一のラインを走査するための第２制御信号を出力する第２制御信号出力部とを備えることを要件とする。
【発明の効果】
【００１１】
したがって、本走査型プローブ顕微鏡の制御プログラム、制御方法及び制御装置によれば、凹凸が存在する測定試料表面を走査型プローブ顕微鏡によって測定する際に、測定される物性値が凹凸の影響を受けないようにしながら、短時間で正確に凹凸や物性値を測定できるという利点がある。
【図面の簡単な説明】
【００１２】
【図１】本実施形態にかかる走査型プローブ顕微鏡の制御装置の機能構成を示すブロック図である。
【図２】本実施形態にかかる走査型プローブ顕微鏡の構成を示す模式図である。
【図３】本実施形態にかかる走査型プローブ顕微鏡の制御装置のハードウェア構成を示す図である。
【図４】本実施形態にかかる走査型プローブ顕微鏡の制御装置における処理（走査型プローブ顕微鏡の制御方法）を説明するためのフローチャートである。
【図５】本実施形態にかかる走査型プローブ顕微鏡の制御装置における処理（走査型プローブ顕微鏡の制御方法）を説明するためのフローチャートである。
【図６】本実施形態にかかる走査型プローブ顕微鏡の制御装置における処理（走査型プローブ顕微鏡の制御方法）を説明するためのフローチャートである。
【図７】本実施形態にかかる走査型プローブ顕微鏡の制御装置における走査速度の制定について説明するための図である。
【図８】（Ａ）、（Ｂ）は、本実施形態にかかる走査型プローブ顕微鏡の制御装置による効果を説明するための図である。
【図９】（Ａ）〜（Ｆ）は、本実施形態にかかる走査型プローブ顕微鏡の制御装置による効果を説明するための図である。
【発明を実施するための形態】
【００１３】
以下、図面により、本発明の実施の形態にかかる走査型プローブ顕微鏡の制御プログラム、制御方法及び制御装置について、図１〜図９を参照しながら説明する。
本実施形態にかかる走査型プローブ顕微鏡の制御装置は、例えば走査型トンネル顕微鏡や原子間力顕微鏡の制御装置である。なお、走査型プローブ顕微鏡を、観察装置又は表面観測装置ともいう。
【００１４】
以下、本実施形態では、原子間力顕微鏡の制御装置を例に挙げて説明する。
まず、原子間力顕微鏡について説明する。
原子間力顕微鏡は、原子オーダの測定試料表面の凹凸や物性値（例えば電流特性値や圧電応答特性値など）を測定可能である。この原子間力顕微鏡は、探針−試料間の原子間力が一定となるようにフィードバック制御されながら探針で測定試料表面を走査し、凹凸や物性値を測定可能である。なお、走査型トンネル顕微鏡は、基本的に導電体試料のみ測定可能であるのに対し、原子間力顕微鏡は、導電体試料のみならず絶縁体試料も測定可能である。このため、例えば半導体デバイスを含む電子デバイスの解析には原子間力顕微鏡が用いられることが多い。
【００１５】
例えば、図２に示すように、原子間力顕微鏡１は、プローブ２と、測定試料３を載せるステージ４（試料台）と、スキャナ５と、ＸＹ駆動回路６と、Ｚ位置検出系７と、Ｚフィードバック回路８と、物性値検出系９と、例えばパーソナルコンピュータ（ＰＣ）などのコンピュータ１０とを備える。
ここでは、プローブ２は、カンチレバー２Ａと、その先端に設けられた探針２Ｂとによって構成される。
【００１６】
スキャナ５は、例えば圧電体（圧電素子）を備えるものとして構成され、ステージ４に取り付けられている。ここでは、スキャナ５は、ステージ４をＸ方向、Ｙ方向及びＺ方向のそれぞれに移動させるためのＸ方向用圧電体、Ｙ方向用圧電体及びＺ方向用圧電体を備える。
ＸＹ駆動回路６は、スキャナ５及びコンピュータ１０に接続されており、コンピュータ１０からの制御信号（走査信号）に基づいて、ステージ４（即ち、ステージ４上の測定試料３）がＸ方向及びＹ方向へ移動するように、スキャナ５を駆動する駆動回路である。ここでは、ＸＹ駆動回路６は、コンピュータ１０からの走査信号に基づいてスキャナ５に備えられるＸ方向用圧電体及びＹ方向用圧電体に電圧を印加してこれらを駆動し、ステージ４をＸ方向及びＹ方向へ移動させるようになっている。これにより、カンチレバー２Ａの先端に設けられた探針２Ｂが、ステージ４上の測定試料３の表面上を走査（ここではラスタースキャン）する。
【００１７】
Ｚ位置検出系７は、測定試料３の表面上を走査しているときに測定試料表面の凹凸に応じて変化するプローブ２のＺ方向位置（Ｚ方向変位）を検出するものである。ここでは、Ｚ位置検出系７は、測定試料表面の凹凸に応じて変化する、プローブ２を構成するカンチレバー２Ａの先端のＺ方向位置（Ｚ方向変位；たわみ量）を検出するものであって、例えば光てこ方式のＺ位置検出系である。
【００１８】
例えば、光てこ方式のＺ位置検出系７は、光源としての半導体レーザ１１と、光検出器としての４分割フォトダイオード（又は２分割フォトダイオード）１２と、ミラー１３と、差動アンプ１４とを備えるものとすれば良い。そして、半導体レーザ１１からの光（光ビーム；レーザ光）を、ミラー１３を介して、カンチレバー２Ａの先端上面に設けられた反射鏡に向けて入射し、その反射光を４分割フォトダイオード１２で検出し、差動アンプ１４で増幅し、Ｚフィードバック回路８へ出力するようにすれば良い。
【００１９】
このような光てこ方式のＺ位置検出系７を用いることで、カンチレバー２Ａの先端のＺ方向位置を高い検出感度で検出することができる。つまり、測定試料３の表面をカンチレバー２Ａの先端に取り付けられた探針２Ｂで走査した場合、測定試料表面の凹凸に応じて、カンチレバー２Ａの先端が上下動する。このカンチレバー２Ａの先端の上下動は、原子レベルの大きさで極めて微小である。しかし、上述の光てこ方式のＺ位置検出系７では、カンチレバー２Ａの先端が上下動すると、これにしたがって、カンチレバー２Ａの先端上面に設けられた反射鏡が傾斜し、反射角が変化する。この結果、反射鏡によって反射され、４分割フォトダイオード１２に入射する反射光の位置が変わるため、カンチレバー２Ａの先端の上下動、即ち、カンチレバー２Ａの先端のＺ方向位置を検出することができる。例えば、カンチレバー２Ａの先端が基準Ｚ方向位置（目標Ｚ方向位置）にあるときに、４分割フォトダイオード１２の中心位置に反射光が入射するようになっている場合、カンチレバー２Ａの先端が上下動すると、４分割フォトダイオード１２に入射する反射光の位置が中心位置からずれる。この結果、上下のフォトダイオードに流れる電流の差が変化する。このため、上下のフォトダイオードに流れる電流の差に基づいて、カンチレバー２Ａの先端の上下動、即ち、カンチレバー２Ａの先端のＺ方向位置を検出することができる。また、４分割フォトダイオード１２に入射する反射光の位置は、カンチレバー２Ａの先端上面に設けられた反射鏡の傾斜の変化、即ち、カンチレバー２Ａの先端の上下動に応じて敏感に変化するため、カンチレバー２Ａの先端の上下動、即ち、カンチレバー２Ａの先端のＺ方向位置を高い検出感度で検出することができる。
【００２０】
Ｚフィードバック回路８は、スキャナ５及びＺ位置検出系７に接続されており、Ｚ位置検出系７によって検出された位置情報（Ｚ方向位置）に基づいて、ステージ４のＺ方向位置（即ち、ステージ４上の測定試料３のＺ方向位置）をフィードバック制御するものである。
ここでは、Ｚフィードバック回路８は、Ｚ位置検出系７によって検出されたカンチレバー２Ａの先端のＺ方向位置が一定になるように、スキャナ５に備えられるＺ方向用圧電体に印加する電圧をフィードバック制御するようになっている。
【００２１】
例えば、カンチレバー２Ａの先端が基準Ｚ方向位置（目標Ｚ方向位置）にあるときに、４分割フォトダイオード１２の中心位置に反射光が入射するようになっている場合、Ｚフィードバック回路８は、４分割フォトダイオード１２の中心位置に反射光が入射するように（即ち、４分割フォトダイオード１２の上下のフォトダイオードに流れる電流の差がゼロになるように）、スキャナ５に備えられるＺ方向用圧電体に印加する電圧をフィードバック制御するようになっている。なお、これに限られるものではなく、４分割フォトダイオード１２の上下のフォトダイオードに流れる電流の差と目標値が一致するように（即ち、これらの差がゼロになるように）フィードバック制御を行なっても良い。つまり、Ｚ位置検出系７によって検出されたカンチレバー２Ａの先端のＺ方向位置（たわみ量）と目標Ｚ方向位置（目標たわみ量）が一致するように（即ち、これらの差がゼロになるように）フィードバック制御を行なっても良い。これらの場合、目標値や目標Ｚ方向位置（目標たわみ量）はコンピュータ１０を介して事前に設定しておけば良い。なお、目標値や目標Ｚ方向位置（目標たわみ量）をセットポイントともいう。また、Ｚフィードバック回路８を、フィードバック制御回路又はフィードバックコントローラともいう。例えば、Ｚフィードバック回路８は、例えばＰＩＤ制御を行なうＤＳＰコントローラによって構成すれば良い。これをＰＩＤフィードバック回路ともいう。
【００２２】
このＺフィードバック回路８は、ステージ４が上下方向（Ｚ方向）へ移動するように、スキャナ５を駆動する駆動回路である。つまり、Ｚフィードバック回路８は、スキャナ５に備えられるＺ方向用圧電体に電圧を印加してこれを駆動し、ステージ４をＺ方向へ移動させるようになっている。
このように、Ｚフィードバック回路８は、測定試料表面の凹凸に応じてカンチレバー２Ａの先端が上下動した場合に、Ｚ位置検出系７によって検出されたカンチレバー２Ａの先端のＺ方向位置が一定になるように、スキャナ５に備えられるＺ方向用圧電体に電圧を印加してこれを駆動し、ステージ４のＺ方向位置をフィードバック制御するようになっている。
【００２３】
また、Ｚフィードバック回路８は、コンピュータ１０にも接続されており、フィードバック制御量（ここではスキャナ５に備えられるＺ方向用圧電体に印加した電圧値）がコンピュータ１０へ送られるようになっている。
ここで、Ｚフィードバック回路８では、測定試料３の表面上を走査しているときに測定試料表面の凹凸に応じてカンチレバー２Ａの先端が上下動した場合に、これに応じて、スキャナ５に備えられるＺ方向用圧電体に印加する電圧をフィードバック制御するようになっている。つまり、ステージ４をＸ方向及びＹ方向に移動させながら、測定試料表面の凹凸に応じたカンチレバー２Ａの先端のＺ方向位置に応じて、Ｚ方向にフィードバック制御するようになっている。このため、ステージ４は、測定試料表面の凹凸に依存した軌跡を描くことになる。
【００２４】
そして、コンピュータ１０は、Ｚフィードバック回路８から送られてきたフィードバック制御量（ここではスキャナに備えられるＺ方向用圧電体に印加した電圧値）に基づいて、測定試料表面の凹凸情報を取得することができる。つまり、コンピュータ１０は、Ｚフィードバック回路８から送られてきたフィードバック制御量（ここではスキャナに備えられるＺ方向用圧電体に印加した電圧値）をプロットすることで、フィードバック制御量の変化、即ち、測定試料表面の凹凸像を取得することができる。ここでは、コンピュータ１０は、このようにして得られた凹凸像を画面上に表示させるようになっている。
【００２５】
物性値検出系９は、例えば電流特性値や圧電応答特性値などの物性値を検出するものである。この物性値検出系９を備えることで、上述の凹凸像と物性像の同時取得が可能となる。
例えば、特性値として電流特性値を検出する場合、導電性カンチレバー２Ａを用い、物性値検出系９として、導電性カンチレバー２Ａ及びコンピュータ１０に接続されたアンプなどを設け、導電性カンチレバー２Ａと測定試料３との間に電圧を印加し、導電性カンチレバー２Ａに流れる電流量を電流特性値として検出し、これをコンピュータ１０へ送るようにすれば良い。これにより、コンピュータ１０で例えばＩ／Ｖカーブや例えば導電性マッピングなどの電流特性像を取得することが可能となる。
【００２６】
また、例えば、特性値として圧電応答特性値を検出する場合、導電性カンチレバー２Ａを用い、物性値検出系９として、交流電圧源、ロックインアンプなどを設け、交流電圧源によって導電性カンチレバー２Ａと測定試料３との間に交流電圧を印加し、ロックインアンプで交流電圧に対応した歪成分を圧電応答特性値として検出し、これをコンピュータ１０へ送るようにすれば良い。これにより、コンピュータ１０で圧電応答像を取得することが可能となる。
【００２７】
また、例えば、物性値として極性分布特性値を検出する場合、導電性カンチレバー２Ａを用い、物性値検出系９として、交流電圧源、ロックインアンプ、高周波共振器などを設け、交流電圧源によって導電性カンチレバー２Ａと測定試料３との間に交流電圧を印加し、高周波共振器やロックインアンプで探針直下の非線形な誘電率の変化を極性分布特性値として検出し、これをコンピュータ１０へ送るようにすれば良い。これにより、コンピュータ１０で例えばＰＮ極性像（ＳＮＤＭ像）などの極性分布特性像を取得することが可能となる。
【００２８】
なお、物性値検出系９の構成は、ここで例示したものに限られるものではなく、測定試料３の物性値を検出できるものであれば良い。
ところで、測定試料３の表面には、例えばクレータ、粒界、加工起因の溝等の凹凸が存在する。このような凹凸が存在する測定試料表面を走査型プローブ顕微鏡１によって測定すると、測定される物性値が凹凸の影響を受けてしまう。
【００２９】
この場合、例えば、測定される物性値が凹凸の影響を受けないように走査速度を遅くすることが考えられる。
しかしながら、凹凸が存在する測定試料３の表面全体を、遅い走査速度で走査して、凹凸や物性値の測定を行なうと、測定に長時間を要することになる。そして、測定に長時間を要すると、測定試料３の位置がずれたり、測定試料３の表面に電荷がたまって探針２Ｂがホッピングしたりする場合があり、この結果、凹凸や物性値を正確に測定するのが難しくなる。
【００３０】
例えば、急壁や鋭い穴形状を持つ測定試料３を測定する場合、壁や穴の部分で探針２Ｂが急上昇したり急降下したりするため、探針２Ｂを安定して走査させ、フィードバック制御するのが難しい。このため、例えば計測系の時定数等パラメータを調整しても、測定された物性値は凹凸の影響を受けてしまい、これを排除するのは困難である。
この場合、例えば、凹凸起因の影響は無視してそのまま測定し、影響を受けている部分はマスクしてソフトウェア的に無視し、凹凸の影響を受けていない部分のみで解析を行なうことが考えられるが、全体像を把握不可能となるため、正確性に欠ける。
【００３１】
また、例えば、探針２Ｂを一定高さで走査し、凹凸と物性値を同時取得することも考えられるが、一定高さで走査するには超高真空中で原子ステップが出ている等、極めて正常な測定面に限られるため、測定試料や測定環境への制約が大きい。特にデバイスの解析にはふさわしくない。
また、例えば、１点毎に、探針２Ｂを静止させた後、近づけていき、フォースカーブ（原子間力のＺ方向距離依存性）を測定し、凹凸を把握し、次に、物性値のＺ方向距離依存性を取得し、衝突防止のため、フォースカーブから算出した測定点で探針の動きを止めて物性値を取得し、これを例えば２５６×２５６点あるいは５１２点×５１２点等繰り返して、画像化することも考えられる。しかしながら、測定に数時間掛かるため、測定試料３の位置がずれるドリフトが発生するおそれがある。
【００３２】
また、例えば、走査速度を遅くして測定分解能を上げることも考えられるが、測定に長時間かかるため、測定試料３の位置がずれるドリフトが発生するおそれがある。また、特に絶縁物が測定試料３の場合、測定中に測定試料表面に電荷がたまりチャージアップのような現象が発生し、探針がラスタースキャン中にホッピングして測定結果として得られた画像に横縞が混入してしまうなど正常な測定結果が得られない場合がある。
【００３３】
そこで、上述のように構成される原子間力顕微鏡１によって凹凸が存在する測定試料表面を測定する際に、測定される物性値が凹凸の影響を受けないようにしながら、短時間で正確に凹凸や物性値を測定できるようにしたい。特に、短時間で急峻な凹凸を正確にトレースし、同時測定する物性値にも影響を与えないようにしたい。
このため、本実施形態では、後述の原子間力顕微鏡の制御装置を、上述の原子間力顕微鏡１を構成するコンピュータ１０に実装している。
【００３４】
まず、本実施形態にかかる原子間力顕微鏡の制御装置が実装される、上述の原子間力顕微鏡１を構成するコンピュータ１０のハードウェア構成について、図３を参照しながら説明する。
本原子間力顕微鏡の制御装置が実装される、上述の原子間力顕微鏡１を構成するコンピュータ１０のハードウェア構成は、例えば図３に示すように、ＣＰＵ（Central Processing Unit）１０２、メモリ１０１、通信制御部１０９、入力装置１０６、表示制御部１０３、表示装置１０４、記憶装置１０５、可搬型記録媒体１０８のドライブ装置１０７を備え、これらがバス１１０によって相互に接続された構成になっている。なお、ハードウェア構成はこれに限られるものではない。
【００３５】
ここで、ＣＰＵ１０２は、コンピュータ全体を制御するものであり、プログラムをメモリ１０１に読み出して実行し、本原子間力顕微鏡の制御装置に必要な処理を含む様々な処理を行なうようになっている。
メモリ１０１は、例えばＲＡＭなどの主記憶装置であり、プログラムの実行、データの書き換え等を行なう際に、プログラム又はデータを一時的に格納するものである。
【００３６】
通信制御部１０９（通信インターフェース）は、例えばＬＡＮやインターネットなどのネットワークを介して、他の装置と通信するために用いられるものである。この通信制御部１０９は、コンピュータに元から組み込まれていても良いし、後からコンピュータに取り付けられたＮＩＣ（Network Interface Card）でも良い。
入力装置１０６は、例えば、タッチパネル、マウスなどのポインティングデバイス、キーボードなどである。
【００３７】
表示装置１０４は、例えば液晶ディスプレイなどの表示装置である。
表示制御部１０３は、例えば凹凸像や物性像などを表示装置１０４に表示させるための制御を行なうものである。
記憶装置１０５は、例えばハードディスクドライブ（ＨＤＤ）やＳＳＤなどの補助記憶装置であり、各種のプログラム及び各種のデータが格納されている。本実施形態では、記憶装置１０５には、後述の走査型プローブ顕微鏡の制御プログラム（ここでは原子間力顕微鏡の制御プログラム）が格納されている。なお、メモリ１０１として、例えばＲＯＭ（Read Only Memory）を備えるものとし、これに各種のプログラムや各種のデータを格納しておいても良い。
【００３８】
ドライブ装置１０７は、例えばフラッシュメモリ等の半導体メモリ、光ディスク、光磁気ディスク等の可搬型記録媒体１０８の記憶内容にアクセスするためのものである。
このようなハードウェア構成を備えるコンピュータにおいて、ＣＰＵ１０２が、例えば記憶装置１０５に格納されている原子間力顕微鏡の制御プログラムをメモリ１０１に読み出して実行することで、後述の本原子間力顕微鏡の制御装置の各機能が実現される。
【００３９】
つまり、図１に示すように、本原子間力顕微鏡の制御装置（走査型プローブ顕微鏡の制御装置）２０は、制御信号出力部２１と、凹凸情報取得部２２と、走査速度設定部２３とを備える。
ここで、制御信号出力部２１は、ＸＹ駆動回路６に対し、測定試料３の表面上の一のラインを走査するための制御信号を出力する。ここでは、制御信号出力部２１は、測定試料３の表面上の一のラインを走査するための第１制御信号をＸＹ駆動回路６へ出力する第１制御信号出力部２１Ａと、走査速度設定部２３によって設定された一のラインの走査速度に基づいて一のラインを走査するための第２制御信号をＸＹ駆動回路６へ出力する第２制御信号出力部２１Ｂとを備える。
【００４０】
本実施形態では、第１制御信号出力部２１Ａは、測定試料３の表面上の一のラインの往路を走査するための第１制御信号をＸＹ駆動回路６へ出力する。具体的には、第１制御信号として、一のラインの往路を一定の走査速度（通常走査速度；基準走査速度）で走査するための制御信号を出力する。また、第２制御信号出力部２１Ｂは、走査速度設定部２３によって設定された一のラインの復路の走査速度に基づいて一のラインの復路を走査するための第２制御信号をＸＹ駆動回路６へ出力する。具体的には、第２制御信号として、一のラインの凹部又は凸部における走査速度がそれ以外の部分における走査速度よりも遅く設定された走査速度で一のラインの復路を走査するための制御信号を出力する。ここでは、凹部又は凸部以外の部分（平坦部分）における走査速度は、一のラインの往路を走査するのに用いた走査速度（通常走査速度；基準走査速度）と同じ走査速度である。
【００４１】
凹凸情報取得部２２は、第１制御信号出力部２１Ａから出力された制御信号に応じた一のラインの走査の際にＺフィードバック回路８が出力したフィードバック制御量（ここではスキャナに備えられるＺ方向用圧電体に印加した電圧値）を取得し、これに基づいて、測定試料表面の凹凸情報を取得する。ここで、測定試料表面の凹凸情報は、凹部又は凸部のＸ方向位置（Ｘ方向座標）、凹部の深さ（マイナス側のＺ方向位置の変位量）、凸部の高さ（プラス側のＺ方向位置の変位量）、凹部の側面か底面か（Ｚ方向位置の変化率が大きいか小さいか）、凸部の側面か頂面か（Ｚ方向位置の変化率が大きいか小さいか）を含む。なお、測定試料表面の凹凸情報の具体的な説明については後述する。
【００４２】
ここでは、凹凸情報取得部２２は、第１制御信号出力部２１Ａから出力された第１制御信号に応じた一のラインの往路の走査の際にＺフィードバック回路８が出力したフィードバック制御量を取得し、これに基づいて、測定試料表面の凹凸情報を取得する。
走査速度設定部２３は、第１制御信号出力部２１Ａから出力された第１制御信号に応じた一のラインの走査によって得られた測定試料表面の凹凸情報、即ち、凹凸情報取得部２２によって取得された測定試料表面の凹凸情報に基づいて、一のラインの凹部又は凸部における走査速度を凹部又は凸部以外の部分における走査速度よりも遅く設定する。
【００４３】
ここでは、走査速度設定部２３は、第１制御信号出力部２１Ａから出力された第１制御信号に応じた一のラインの往路の走査によって得られた測定試料表面の凹凸情報に基づいて、一のラインの復路の凹部又は凸部における走査速度を凹部又は凸部以外の部分における走査速度よりも遅く設定する。
好ましくは、走査速度設定部２３は、第１制御信号出力部２１Ａから出力された第１制御信号に応じた一のラインの走査によって得られた測定試料表面の凹凸情報に基づいて、一のラインの凹部の側面又は凸部の側面における走査速度を一のラインの凹部の底面又は凸部の頂面における走査速度よりも遅く設定する。なお、走査速度設定部２３における走査速度の具体的な設定については後述する。
【００４４】
このほか、上述の原子間力顕微鏡１を構成するコンピュータ１０は、Ｚフィードバック回路８から送られてきたフィードバック制御量（ここではスキャナに備えられるＺ方向用圧電体に印加した電圧値）をプロットすることで、フィードバック制御量の変化、即ち、測定試料表面の凹凸像を取得し、これを画面上に表示させる機能も有する。また、物性値検出系９から送られてきた物性値（例えば電流特性値や圧電応答特性値など）を、例えば物性像（例えば電流像や圧電応答像など）とし、これを画面上に表示させる機能も有する。
【００４５】
次に、本実施形態の原子間力顕微鏡の制御装置２０が実装され、上述の原子間力顕微鏡１を構成するコンピュータ１０において、ＣＰＵ１０２がメモリ１０１に読み込まれた原子間力顕微鏡の制御プログラム（走査型プローブ顕微鏡の制御プログラム）に従って実行する処理（原子間力顕微鏡の制御方法；走査型プローブ顕微鏡の制御方法）について、図４〜図７を参照しながら説明する。
【００４６】
まず、図４に示すように、本原子間力顕微鏡の制御装置２０は、制御信号出力部２１（第１制御信号出力部２１Ａ）によって、測定試料３の表面上の一のライン（ここでは一のラインの往路）を走査するための制御信号（第１制御信号）をＸＹ駆動回路６へ出力する（ステップＳ１０）。具体的には、第１制御信号として、一のラインの往路を一定の走査速度（通常走査速度；基準走査速度）で走査するための制御信号を出力する。
【００４７】
次に、本原子間力顕微鏡の制御装置２０は、凹凸情報取得部２２によって、制御信号出力部２１（第１制御信号出力部２１Ａ）から出力された第１制御信号に応じた一のライン（ここでは一のラインの往路）の走査の際にＺフィードバック回路８が出力したフィードバック制御量（ここではスキャナに備えられるＺ方向用圧電体に印加した電圧値）を取得し、これに基づいて、測定試料表面の凹凸情報を取得する（ステップＳ２０）。ここで、測定試料表面の凹凸情報として、凹部又は凸部のＸ方向位置（Ｘ方向座標）、凹部の深さ（マイナス側のＺ方向位置の変位量）、凸部の高さ（プラス側のＺ方向位置の変位量）、凹部の側面か底面か（Ｚ方向位置の変化率が大きいか小さいか）、凸部の側面か頂面か（Ｚ方向位置の変化率が大きいか小さいか）を取得する。なお、測定試料表面の凹凸情報の具体的な説明については後述する。
【００４８】
次に、本原子間力顕微鏡の制御装置２０は、走査速度設定部２３によって、制御信号出力部２１（第１制御信号出力部２１Ａ）から出力された第１制御信号に応じた一のライン（ここでは一のラインの往路）の走査によって得られた測定試料表面の凹凸情報、即ち、凹凸情報取得部２２によって取得された測定試料表面の凹凸情報に基づいて、一のライン（ここでは一のラインの復路）の凹部又は凸部における走査速度を凹部又は凸部以外の部分における走査速度よりも遅く設定する（ステップＳ３０）。
【００４９】
具体的には、図５に示すように、本原子間力顕微鏡の制御装置２０は、走査速度設定部２３によって、制御信号出力部２１（第１制御信号出力部２１Ａ）から出力された第１制御信号に応じた一のライン（ここでは一のラインの往路）の走査によって得られた測定試料表面の凹凸情報に含まれる凹部の深さ又は凸部の高さが設定値（第１設定値）を超えているか否かを判定する（ステップＡ１０）。この機能を判定部という。そして、一のラインに含まれる凹部の深さ又は凸部の高さが設定値を超えている場合に、一のライン（ここでは一のラインの復路）の凹部又は凸部における走査速度を基準走査速度（通常走査速度）よりも遅く設定する（ステップＡ２０）。ここでは、一のラインの復路を走査する際の走査速度は、一のラインの往路を走査する際に用いた走査速度と同じ走査速度に設定されている。つまり、一のラインの往路及び復路を走査する際の走査速度は、予め、基準走査速度に設定されている。このため、一のラインに含まれる凹部の深さ又は凸部の高さが設定値を超えていない場合、走査速度は変更されず、基準走査速度のままとなる。つまり、一のラインに含まれる凹部の深さ又は凸部の高さが設定値を超えていない場合は、凹部又は凸部ではないものとみなし、凹部又は凸部以外の部分に含まれるものとして、基準走査速度のままとなる。このようにして、一のラインに含まれる凹部の深さ又は凸部の高さが設定値を超えている場合に、一のライン（ここでは一のラインの復路）の凹部又は凸部における走査速度を凹部又は凸部以外の部分における走査速度よりも遅く設定する。この機能を設定部という。
【００５０】
好ましくは、本原子間力顕微鏡の制御装置２０は、走査速度設定部２３によって、制御信号出力部２１（第１制御信号出力部２１Ａ）から出力された第１制御信号に応じた一のライン（ここでは一のラインの往路）の走査によって得られた測定試料表面の凹凸情報に基づいて、一のライン（ここでは一のラインの復路）の凹部の側面又は凸部の側面における走査速度を一のライン（ここでは一のラインの復路）の凹部の底面又は凸部の頂面における走査速度よりも遅く設定する。
【００５１】
ここでは、図６に示すように、本原子間力顕微鏡の制御装置２０は、走査速度設定部２３によって、まず、制御信号出力部２１（第１制御信号出力部２１Ａ）から出力された第１制御信号に応じた一のライン（ここでは一のラインの往路）の走査によって得られた測定試料表面の凹凸情報に含まれる凹部の深さ又は凸部の高さが設定値を超えているか否かを判定する（ステップＢ１０）。次に、一のラインに含まれる凹部の側面又は凸部の側面であるか否かを判定する（ステップＢ２０）。これらの機能を判定部という。そして、一のラインに含まれる凹部の深さ又は凸部の高さが設定値を超えており、かつ、一のラインに含まれる凹部の側面又は凸部の側面でない場合（即ち、一のラインに含まれる凹部の底面又は凸部の頂面である場合）に、一のライン（ここでは一のラインの復路）の凹部の底面又は凸部の頂面における走査速度を基準走査速度（通常走査速度）よりも遅い第１走査速度に設定する（ステップＢ３０）。一方、一のラインに含まれる凹部の深さ又は凸部の高さが設定値を超えており、かつ、一のラインに含まれる凹部の側面又は凸部の側面である場合（即ち、一のラインに含まれる凹部の底面又は凸部の頂面でない場合）に、一のライン（ここでは一のラインの復路）の凹部の側面又は凸部の側面における走査速度を第１走査速度よりも遅い第２走査速度に設定する（ステップＢ４０）。ここでは、一のラインの復路を走査する際の走査速度は、一のラインの往路を走査する際に用いた走査速度と同じ走査速度に設定されている。つまり、一のラインの往路及び復路を走査する際の走査速度は、予め、基準走査速度に設定されている。このため、一のラインに含まれる凹部の深さ又は凸部の高さが設定値を超えていない場合、走査速度は変更されず、基準走査速度のままとなる。つまり、一のラインに含まれる凹部の深さ又は凸部の高さが設定値を超えていない場合は、凹部又は凸部ではないものとみなし、凹部又は凸部以外の部分であるとして、基準走査速度のままとなる。このようにして、一のライン（ここでは一のラインの復路）の凹部の側面又は凸部の側面における走査速度を一のライン（ここでは一のラインの復路）の凹部の底面又は凸部の頂面における走査速度よりも遅く設定する。また、一のラインに含まれる凹部の深さ又は凸部の高さが設定値を超えている場合に、一のライン（ここでは一のラインの復路）の凹部又は凸部における走査速度を凹部又は凸部以外の部分における走査速度よりも遅く設定する。この機能を設定部という。
【００５２】
より具体的には、上述の凹凸情報取得部２２による処理及び走査速度設定部２３による処理は、例えば以下のようにして行なうことができる。
つまり、一のラインの往路の走査（Ｘ方向走査）の際にＺフィードバック回路８がスキャナに備えられるＺ方向用圧電体に印加した電圧値を取得し、これをＸ方向の複数点に対応づけ、各点のＺ方向位置（Ｚ方向座標）を算出する。ここで、Ｘ方向の複数点は、複数のＸ方向位置（Ｘ方向座標）における測定点（例えば１２８点、２５６点、５１２点など）である。なお、測定試料３の表面がＸ方向に沿って傾いている場合もあるため、Ｚフィードバック回路８がスキャナ５に備えられるＺ方向用圧電体に印加した電圧値に対し、あるいは、各点のＺ方向位置を算出する際に、Ｘ方向の傾きを一次関数で補正（傾き一次補正）するのが好ましい。
【００５３】
次に、これらの各点のＺ方向位置の平均値を算出し、各点のＺ方向位置の平均値からのずれ量を算出する。ここで、Ｚ方向位置が平均値からずれている場合、その部分は凹部又は凸部であり、平均値に対して、一方の側（プラス側）にずれている場合が凸部であり、他方の側（マイナス側）にずれている場合が凹部である。また、平均値からのずれ量は、凹部の深さ又は凸部の高さに相当する。このようにして、凹部又は凸部のＸ方向位置、凹部の深さ、凸部の高さという測定試料表面の凹凸情報を取得することができる。
【００５４】
また、各点のＺ方向位置の変化率、即ち、ある点のＺ方向位置とその隣の点のＺ方向位置との差を、ある点のＸ方向位置とその隣の点のＸ方向位置との差で割った値（微分係数；ｄｚ／ｄｘ）を算出する。ここで、Ｚ方向位置の変化率が大きい場合、その部分は凹部の側面又は凸部の側面であり、Ｚ方向位置の変化率が小さい場合、その部分は凹部の底面又は凸部の頂面あるいは平坦部である。このようにして、凹部の側面か底面か、凸部の側面か頂面かという測定試料表面の凹凸情報を取得することができる。なお、ある点とその隣のＺ方向位置の変化率は、ある点とその隣の点を結ぶ直線の傾きの大きさに相当し、変化率が大きい場合、傾きが大きいことになる。
【００５５】
次に、各点のＺ方向位置の平均値からのずれ量が所定ずれ量を超えているか否かを判定する。これにより、凹部の深さ又は凸部の高さが設定値を超えているか否か、即ち、凹部の深さ又は凸部の高さが走査速度を遅くする必要があるほど大きいか否かを判定することができる。なお、ずれ量が所定ずれ量を超えている場合は、ずれ量が正でその絶対値が所定ずれ量を超えている場合、及び、ずれ量が負でその絶対値が所定ずれ量を超えている場合である。ここで、所定ずれ量は、例えば、平均値の±１０％のずれ量、平均値の±１５％のずれ量又は平均値の±２０％のずれ量のように、測定試料３に応じて設定すれば良い。例えば、測定が困難な試料ほど小さな値に設定するのが好ましい。また、最初は大きな値に設定し、良好な測定結果が得られなかったら（例えば再測定の指示があったら）、小さな値に設定しなおして再測定を行なうようにしても良い。
【００５６】
この判定の結果、所定ずれ量を超えている場合、さらに、Ｚ方向位置の変化率が所定変化率を超えているか否かを判定する。これにより、凹部の側面又は凸部の側面であるか否か、即ち、凹部の底面又は凸部の頂面であるか否かを判定することができる。なお、変化率が所定変化率を超えている場合としては、変化率が正でその絶対値が所定変化率を超えている場合、及び、変化率が負でその絶対値が所定変化率を超えている場合である。ここで、所定変化率は、上述の所定ずれ量と同様に、測定試料３に応じて設定すれば良い。
【００５７】
そして、所定ずれ量を超えており、かつ、所定変化率を超えていない場合、凹部３０の底面３０Ａ又は凸部３１の頂面３１Ａ（図７参照）であるとして、その部分３０Ａ，３１Ａ（領域）の走査速度を基準走査速度（通常走査速度）よりも遅い第１走査速度に設定する。ここで、第１走査速度は、例えば基準走査速度を約５０％（即ち、４５％〜５５％又は３０％〜６０％）減速させた走査速度とすれば良い。
【００５８】
一方、所定ずれ量を超えており、かつ、所定変化率を超えている場合、凹部３０の側面３０Ｂ，３０Ｃ又は凸部３１の側面３１Ｂ，３１Ｃであるとして（図７参照）、その部分３０Ｂ，３０Ｃ，３１Ｂ，３１Ｃ（領域）の走査速度を第１走査速度よりも遅い第２走査速度に設定する。ここで、第２走査速度は、例えば基準走査速度を約８０％（即ち、７５％〜８５％又は７０％〜９０％）減速させた走査速度とすれば良い。
【００５９】
また、所定ずれ量を超えていない場合、凹部又は凸部ではないものとみなし、凹部又は凸部以外の部分（平坦部分）３２であるとして（図７参照）、基準走査速度のままとする。
このように、一のラインの往路を走査した際に得られた凹凸情報に基づいて、一のラインの復路を走査する際に、凹部（凹領域）の側面（変化率大領域；傾き大領域）又は凸部（凸領域）の側面で走査速度を基準走査速度から大きく減速させた第２走査速度とし、凹部の底面（変化率小領域；傾き小領域）又は凸部の頂面で走査速度を基準走査速度からやや減速させた第１走査速度とし、その他の部分（通常領域）では走査速度を基準走査速度とする。
【００６０】
そして、本原子間力顕微鏡の制御装置２０は、制御信号出力部２１（第２制御信号出力部２１Ｂ）によって、走査速度設定部２３によって設定された一のライン（ここでは一のラインの復路）の走査速度に基づいて一のライン（ここでは一のラインの復路）を走査するための制御信号（第２制御信号）をＸＹ駆動回路６へ出力する（ステップＳ４０）。具体的には、第２制御信号として、一のラインの凹部又は凸部における走査速度がそれ以外の部分における走査速度よりも遅く設定された走査速度で一のラインの復路を走査するための制御信号を出力する。
【００６１】
このように、測定試料３の表面上の一のライン（ここでは一のラインの復路）を走査する際に走査速度を変えながら凹凸像や物性値を取得する。つまり、測定試料３の表面上の一のライン（ここでは一のラインの復路）を、走査速度を変えながら走査する際に、原子間力顕微鏡１を構成するコンピュータ１０は、Ｚフィードバック回路８から送られてきたフィードバック制御量（ここではスキャナに備えられるＺ方向用圧電体に印加した電圧値）をプロットすることで、測定試料表面の凹凸像を取得し、これを画面上に表示させる。また、物性値検出系９から送られてきた物性値（例えば電流特性値や圧電応答特性値など）を、例えば物性像（例えば電流像や圧電応答像など）とし、これを画面上に表示させる。
【００６２】
したがって、本実施形態にかかる走査型プローブ顕微鏡の制御装置及び制御方法によれば、凹凸が存在する測定試料表面を走査型プローブ顕微鏡１によって測定する際に、測定される物性値が凹凸の影響を受けないようにしながら、短時間で正確に凹凸や物性値を測定できるという利点がある。
例えば、本実施形態にかかる走査型プローブ顕微鏡の制御装置及び制御方法を用いることで、製造中又は製造後における半導体デバイスの表面状態を測定し、この測定結果に基づいてプロセス装置の動作条件を変更することで、安定的に高精度な半導体デバイスを製造することが可能となる。
【００６３】
特に、急峻な凹凸が存在する測定試料表面を走査型プローブ顕微鏡１によって測定する際に、凹凸が急峻な箇所（Ｚ方向への変位が急な箇所）で探針の飛びが発生したり、物性値の符号反転が生じたりしまうのを抑制することが可能である。
本実施形態にかかる走査型プローブ顕微鏡の制御装置及び制御方法によれば、例えば、８５〜９０度前後の障壁で高さや深さが５００ナノメートルを超えるような凹凸が存在する測定試料（例えばトレンチ型ＤＲＡＭキャパシタやＦｅＲＡＭキャパシタなど）の凹凸像と物性値（例えば電流像、圧電応答像等）の同時取得が可能となる。また、例えば、９０度前後の単原子ステップを有するＳｉ（１１１）ステップ基板における凹凸像と物性値（例えばＳＮＤＭ１ω（Ａｃｏｓθ）像）の同時取得が可能となる。これらの測定においては、従来、凹凸の変化が急峻な箇所において、探針が測定試料表面からの逸脱することが稀にあったがこれを防ぐことができ、また、この箇所での物性値の符号反転や急速な立ち上がり（値が急上昇する）などの発生も防ぐことができる。また、計測時間の増加も従来のものと比較して３倍以内程度に収まるため、特に絶縁体測定試料におけるチャージアップに起因する探針のホッピングなどの発生も防止することが可能である。
【００６４】
実際に、ＳｒＴｉＯ３（１００）ステップ基板の測定において効果が得られた。
まず、ＳｒＴｉＯ３（１００）ステップ基板の表面には単原子ステップが存在し、探針の走査方向に対して９０度の障壁となる。そこで、探針のトレースをより正確に行なうために、探針の走査速度を通常走査速度である１Ｈｚから８割減速して０．２Ｈｚにして測定を行なった。測定範囲は８００ナノメートル×８００ナノメートルである。また、セットポイントは−１．０ｎＮである。また、探針は、Ｓｉ製で、表面には電気測定用のＡｕ膜が１００ｎｍコートしてあり、バネ定数は２０ｎＮ／ｍである。また、測定はコンタクトモードで行なった。
【００６５】
この結果、ＳｒＴｉＯ３（１００）は絶縁物であるため、測定が進むにつれて表面にチャージがたまっていき、測定が７割程度済んだところで探針が表面を正確にとらえることができなくなり、像も形状を反映しなくなった。このため、図８（Ａ）に示すように、画像取得時最終局面でのチャージの蓄積による像の乱れなどが発生していた。
これに対し、上述の実施形態の走査型プローブ顕微鏡の制御装置及び制御方法を用いて、ＳｒＴｉＯ３（１００）ステップ基板の測定を行なったところ、図８（Ｂ）に示すように、画像取得時最終局面でのチャージの蓄積による像の乱れなどの発生を抑制することができ、正常な測定結果が得られた。
【００６６】
つまり、まず、一のラインの往路は、通常走査速度（基準走査速度）である１Ｈｚで走査して凹凸情報を取得し、これに基づいて、一のラインの復路を走査する際の走査速度を、凹部の側面又は凸部の側面（傾き変化率大）で通常走査速度である１Ｈｚから大きく減速させた０．２Ｈｚとし、凹部の底面又は凸部の頂面（傾き変化率小）で通常走査速度である１Ｈｚからやや減速させた０．５Ｈｚとし、その他の部分で通常走査速度である１Ｈｚとして、ＳｒＴｉＯ３（１００）ステップ基板の測定を行なった。この結果、図８（Ｂ）に示すように、画像取得時最終局面でのチャージの蓄積による像の乱れなどの発生を抑制することができ、正常な測定結果が得られた。
【００６７】
また、実際に、ＦｅＲＡＭ用強誘電体キャパシタの測定において効果が得られた。
ここで、測定試料であるＦｅＲＡＭ用強誘電体キャパシタは、上部電極／強誘電体／下部電極の３層構造になっている。そして、下部電極上に膜厚１００ナノメートルの強誘電体が帯状凸部として設けられており、さらに、強誘電体上に膜厚３００ナノメートルの上部電極が四角形状凸部として設けられている。なお、強誘電体が設けられない領域では下部電極が表面に露出しており、上部電極が設けられていない領域では、強誘電体が表面に露出している。
【００６８】
なお、強誘電体はピエゾ電気特性を有するため、強誘電体薄膜に交流電圧を印加すると同じ周波数の振動が表面に発生する。これを上部電極表面に接触させたカンチレバーを用いて検知する。カンチレバーの変位信号をロックイン検出すれば、その位相（Phase）情報から強誘電体薄膜の分極方向を知ることができる。一方、振幅（Amplitude）は圧電定数や誘電率を反映した量であるため、分極の大きさの絶対量を知ることができる。
【００６９】
ここでは、走査速度を通常走査速度である１Ｈｚから５割減速して０．５Ｈｚにして測定を行なった。測定範囲は６ミクロン×６ミクロンである。また、セットポイントは−１．０ｎＮである。また、カンチレバーはNanosensor社製の商品名ＥＦＭ（カンチレバー長２２５μｍ、バネ定数１．２−５．５μｍ、共振周波数６０−１００ｋＨｚ、ＰｔＩｒ５コート）を用いた。印加した交流電圧は０．８Ｖｐｐ、１０ｋＨｚである。
【００７０】
この結果、走査速度を減速させたこともあって、図９（Ａ），（Ｂ），（Ｃ）に示すように、凹凸像は比較的問題なくとれているが、キャパシタ部分の物性値が乱れているのがわかる。特に、走査速度を減速させたことの影響と思われる横筋が２本程入っていて、その部分で正常な物性値が取得できていないのがわかる。なお、図９（Ａ）は凹凸像であり、図９（Ｂ）は圧電応答振幅像であり、図９（Ｃ）は圧電応答位相像である。
【００７１】
これに対し、上述の実施形態の走査型プローブ顕微鏡の制御装置及び制御方法を用いて、ＦｅＲＡＭ用強誘電体キャパシタの測定を行なったところ、図９（Ｅ），（Ｆ）に示すように、図９（Ｂ），（Ｃ）の圧電応答振幅像、位相像で見られたような横筋の混入やキャパシタ上下位置での像の乱れが見られることなく、正常な測定結果が得られた。なお、測定範囲は３ミクロン×３ミクロンとした。また、図９（Ｄ）は凹凸像であり、図９（Ｅ）は圧電応答振幅像であり、図９（Ｆ）は圧電応答位相像である。
【００７２】
つまり、まず、一のラインの往路は、通常走査速度（基準走査速度）である１Ｈｚで走査して凹凸情報を取得し、これに基づいて、一のラインの復路を走査する際の走査速度を、凹部の側面又は凸部の側面（傾き変化率大）で通常走査速度である１Ｈｚから大きく減速させた０．２Ｈｚとし、凹部の底面又は凸部の頂面（傾き変化率小）で通常走査速度である１Ｈｚからやや減速させた０．５Ｈｚとし、その他の部分で通常走査速度である１Ｈｚとして、ＦｅＲＡＭ用強誘電体キャパシタの測定を行なった。この結果、図９（Ｅ），（Ｆ）に示すように、図９（Ｂ），（Ｃ）の圧電応答振幅像、位相像で見られたような横筋の混入やキャパシタ上下位置での像の乱れが見られることなく、正常な測定結果が得られた。
【００７３】
なお、本発明は、上述した実施形態に記載した構成に限定されるものではなく、本発明の趣旨を逸脱しない範囲で種々変形することが可能である。
例えば、上述の実施形態では、一のラインの往路を走査した際に得られた凹凸情報に基づいて、一のラインの復路を走査する際に、凹部又は凸部における走査速度を凹部又は凸部以外の部分における走査速度よりも遅く設定するようにしているが、これに限られるものではない。
【００７４】
例えば、一のラインの往路及び復路を走査した際に得られた凹凸情報に基づいて、一のラインの往路及び復路を走査する際に、凹部又は凸部における走査速度を凹部又は凸部以外の部分における走査速度よりも遅く設定するようにしても良い。この場合、一のラインの往路及び復路を走査するための第１制御信号を出力し、第１制御信号に応じた一のラインの往路及び復路の走査によって得られた測定試料表面の凹凸情報に基づいて一のラインの往路及び復路の凹部又は凸部における走査速度を凹部又は凸部以外の部分における走査速度よりも遅く設定し、設定された一のラインの往路及び復路の走査速度に基づいて一のラインの往路及び復路を走査するための第２制御信号を出力するようにすれば良い。
【００７５】
また、上述の実施形態では、一のラインの往路を走査して得られた凹凸情報を用いて一のラインの復路を走査して測定を行なうようになっているが、これに限られるものではない。
例えば、上述の実施形態のものにおいて、一のラインの往路を走査して得られた凹凸情報を用いて一のラインの復路を走査して測定を行なった後、一のラインに凹部又は凸部が存在し、かつ、一のラインの往路を走査して得られた凹凸情報と一のラインの復路を走査して得られた凹凸情報との差が設定値（第２設定値）を超えていると判定した場合に、凹凸の判定に用いる閾値を小さい値に変更して、すぐにそのラインのみ再測定を行なうようにしても良い。ここでは、一のラインの往路を走査して得られた凹凸情報と一のラインの復路を走査して得られた凹凸情報との差とは、一のラインの往路と復路における凹部の深さの差又は凸部の高さの差、あるいは、一のラインの往路と復路における各点のＺ方向位置の平均値からのずれ量の差、あるいは、一のラインの往路と復路におけるＺ方向位置の変化率の差である。そして、これらの差がある範囲内（例えば往路の値に対して復路の値が８％〜１０％ずれている範囲内）に収まっていない、即ち、往路と復路の凹凸情報の差が第２設定値を超えていると判定した場合に、上述の実施形態の第１設定値、所定ずれ量又は所定変化率を小さい値に変更して、すぐにそのラインのみ再測定（上述の実施形態の第１制御信号を出力する処理、走査速度を設定する処理及び第２制御信号を出力する処理）を行なうようにしても良い。この機能を再測定部という。この場合、原子間力顕微鏡（走査型プローブ顕微鏡）の制御装置は、図１に示すように、再測定部２４を含むものとなる。この場合、上述の実施形態の第１設定値、所定ずれ量又は所定変化率は、最初は大きい値に設定しておき、再測定を行なう際に小さい値に変更すれば良い。また、ある範囲内におさまるまで、徐々に小さい値に変更しながら、再測定を繰り返すようにしても良い。例えば、測定試料の表面がＸ方向に沿って傾いており、一のラインの往路で上り（又は下り）になり、復路で下り（又は上り）になる場合、往路で測定される物性値と復路で測定される物性値とが乖離しやすい。このような場合、上述のようにして再測定を行なうのが好ましい。
【００７６】
また、上述の実施形態では、走査型プローブ顕微鏡の制御装置を、コンピュータに走査型プローブ顕微鏡の制御プログラムをインストールしたものとして構成しているが、上述の実施形態における処理をコンピュータに実行させる走査型プローブ顕微鏡の制御プログラム（上述のような機能をコンピュータに実現させるための走査型プローブ顕微鏡の制御プログラム）は、コンピュータ読取可能な記録媒体に格納した状態で提供される場合もある。
【００７７】
ここで、記録媒体には、例えば半導体メモリなどのメモリ，磁気ディスク，光ディスク［例えばＣＤ（Compact Disc）−ＲＯＭ，ＤＶＤ（Digital Versatile Disk），ブルーレイディスク等］，光磁気ディスク（ＭＯ：Magneto optical Disc）等のプログラムを記録することができるものが含まれる。なお、磁気ディスク，光ディスク，光磁気ディスク等を可搬型記録媒体ともいう。
【００７８】
この場合、ドライブ装置を介して、可搬型記録媒体から走査型プローブ顕微鏡の制御プログラムを読み出し、読み出された走査型プローブ顕微鏡の制御プログラムを記憶装置にインストールすることになる。これにより、上述の実施形態で説明した走査型プローブ顕微鏡の制御装置及び制御方法が実現され、上述の実施形態の場合と同様に、記憶装置にインストールされた走査型プローブ顕微鏡の制御プログラムを、ＣＰＵがメインメモリ上に読み出して実行することで、上述の実施形態の各処理が行なわれることになる。なお、コンピュータは、可搬型記録媒体から直接プログラムを読み取り、そのプログラムに従った処理を実行することもできる。
【００７９】
また、上述の実施形態における処理をコンピュータに実行させる走査型プローブ顕微鏡の制御プログラムは、例えば伝送媒体としてのネットワーク（例えばインターネット，公衆回線や専用回線等の通信回線等）を介して提供される場合もある。
例えば、プログラム提供者が例えばサーバなどの他のコンピュータ上で提供している走査型プローブ顕微鏡の制御プログラムを、例えばインターネットやＬＡＮ等のネットワーク及び通信インタフェースを介して、記憶装置にインストールしても良い。これにより、上述の実施形態で説明した走査型プローブ顕微鏡の制御装置及び制御方法が実現され、上述の実施形態の場合と同様に、記憶装置にインストールされた走査型プローブ顕微鏡の制御プログラムを、ＣＰＵがメインメモリ上に読み出して実行することで、上述の実施形態の各処理が行なわれることになる。なお、コンピュータは、例えばサーバなどの他のコンピュータからプログラムが転送されるごとに、逐次、受け取ったプログラムに従った処理を実行することもできる。
【００８０】
また、ここでは、ＣＰＵ１０２、メモリ１０１、通信制御部１０９、入力装置１０６、表示制御部１０３、表示装置１０４、記憶装置１０５、可搬型記録媒体１０８のドライブ装置１０７などのハードウェア構成を備える単体の装置として本走査型プローブ顕微鏡の制御装置を実現する場合を例に挙げて説明したが、これに限られるものではない。例えば、上述の実施形態の走査型プローブ顕微鏡の制御装置の各機能及び走査型プローブ顕微鏡の制御方法の各処理が実現されるのであれば、単体の装置でなくても良く、複数の装置からなるシステムあるいは統合装置であっても、ＬＡＮ、ＷＡＮ等のネットワークを介して処理が行なわれるシステムであっても良い。例えば、クラウドサーバなどのサーバが上述の実施形態の走査型プローブ顕微鏡の制御装置の各機能及び走査型プローブ顕微鏡の制御方法の各処理を実現するものとして構成され、インターネットやイントラネットのようなコンピュータネットワークを介して利用可能になっていても良い。
【００８１】
また、上述の実施形態では、コンピュータにおいてＣＰＵがメモリ上に読み出したプログラムを実行することによって、上述の実施形態の走査型プローブ顕微鏡の制御装置の各機能及び走査型プローブ顕微鏡の制御方法の各処理が実現される場合を例に挙げて説明したが、これに限られるものではなく、そのプログラムの指示に基づき、コンピュータ上で稼動しているＯＳや他のプログラムなどが実際の処理の一部又は全部を行なって、上述の実施形態の走査型プローブ顕微鏡の制御装置の各機能及び走査型プローブ顕微鏡の制御方法の各処理が実現されるようになっていても良い。
【００８２】
以下、上述の実施形態及び変形例に関し、更に、付記を開示する。
（付記１）
コンピュータに、
測定試料の表面上の一のラインを走査するための第１制御信号を出力し、
前記第１制御信号に応じた前記一のラインの走査によって得られた前記測定試料表面の凹凸情報に基づいて前記一のラインの凹部又は凸部における走査速度を前記凹部又は前記凸部以外の部分における走査速度よりも遅く設定し、
設定された前記一のラインの走査速度に基づいて前記一のラインを走査するための第２制御信号を出力する、処理を実行させることを特徴とする走査型プローブ顕微鏡の制御プログラム。
【００８３】
（付記２）
前記第１制御信号を出力する処理において、前記一のラインの往路を走査するための制御信号を出力する処理を前記コンピュータに実行させ、
前記走査速度を設定する処理において、前記第１制御信号に応じた前記一のラインの往路の走査によって得られた前記測定試料表面の凹凸情報に基づいて前記一のラインの復路の凹部又は凸部における走査速度を前記凹部又は前記凸部以外の部分における走査速度よりも遅く設定する処理を前記コンピュータに実行させ、
前記第２制御信号を出力する処理において、設定された前記一のラインの復路の走査速度に基づいて前記一のラインの復路を走査するための制御信号を出力する処理を前記コンピュータに実行させることを特徴とする、付記１に記載の走査型プローブ顕微鏡の制御プログラム。
【００８４】
（付記３）
前記第１制御信号を出力する処理において、前記一のラインの往路及び復路を走査するための制御信号を出力する処理を前記コンピュータに実行させ、
前記走査速度を設定する処理において、前記第１制御信号に応じた前記一のラインの往路及び復路の走査によって得られた前記測定試料表面の凹凸情報に基づいて前記一のラインの往路及び復路の凹部又は凸部における走査速度を前記凹部又は前記凸部以外の部分における走査速度よりも遅く設定する処理を前記コンピュータに実行させ、
前記第２制御信号を出力する処理において、設定された前記一のラインの往路及び復路の走査速度に基づいて前記一のラインの往路及び復路を走査するための制御信号を出力する処理を前記コンピュータに実行させることを特徴とする、付記１に記載の走査型プローブ顕微鏡の制御プログラム。
【００８５】
（付記４）
前記走査速度を設定する処理において、前記第１制御信号に応じた前記一のラインの走査によって得られた前記測定試料表面の凹凸情報に基づいて、前記一のラインの前記凹部の側面又は前記凸部の側面における走査速度を前記一のラインの前記凹部の底面又は前記凸部の頂面における走査速度よりも遅く設定する処理を前記コンピュータに実行させることを特徴とする、付記１〜３のいずれか１項に記載の走査型プローブ顕微鏡の制御プログラム。
【００８６】
（付記５）
前記走査速度を設定する処理において、前記一のラインの前記凹部の深さ又は前記凸部の高さが第１設定値を超えている場合に、前記一のラインの凹部又は凸部における走査速度を前記凹部又は前記凸部以外の部分における走査速度よりも遅く設定する処理を前記コンピュータに実行させ、
さらに、前記第１制御信号に応じた前記一のラインの走査によって得られた前記測定試料表面の凹凸情報と、前記第２制御信号に応じた前記一のラインの走査によって得られた前記測定試料表面の凹凸情報との差が第２設定値を超えている場合に、前記第１設定値を小さい値に変更して、前記第１制御信号を出力する処理、前記走査速度を設定する処理及び前記第２制御信号を出力する処理を前記コンピュータに実行させることを特徴とする、付記１、２、４のいずれか１項に記載の走査型プローブ顕微鏡の制御プログラム。
【００８７】
（付記６）
コンピュータが、
測定試料の表面上の一のラインを走査するための第１制御信号を出力し、
前記第１制御信号に応じた前記一のラインの走査によって得られた前記測定試料表面の凹凸情報に基づいて前記一のラインの凹部又は凸部における走査速度を前記凹部又は前記凸部以外の部分における走査速度よりも遅く設定し、
設定された前記一のラインの走査速度に基づいて前記一のラインを走査するための第２制御信号を出力する、処理を実行することを特徴とする走査型プローブ顕微鏡の制御方法。
【００８８】
（付記７）
前記第１制御信号を出力する処理において、前記一のラインの往路を走査するための制御信号を出力する処理を前記コンピュータが実行し、
前記走査速度を設定する処理において、前記第１制御信号に応じた前記一のラインの往路の走査によって得られた前記測定試料表面の凹凸情報に基づいて前記一のラインの復路の凹部又は凸部における走査速度を前記凹部又は前記凸部以外の部分における走査速度よりも遅く設定する処理を前記コンピュータが実行し、
前記第２制御信号を出力する処理において、設定された前記一のラインの復路の走査速度に基づいて前記一のラインの復路を走査するための制御信号を出力する処理を前記コンピュータが実行することを特徴とする、付記６に記載の走査型プローブ顕微鏡の制御方法。
【００８９】
（付記８）
前記第１制御信号を出力する処理において、前記一のラインの往路及び復路を走査するための制御信号を出力する処理を前記コンピュータが実行し、
前記走査速度を設定する処理において、前記第１制御信号に応じた前記一のラインの往路及び復路の走査によって得られた前記測定試料表面の凹凸情報に基づいて前記一のラインの往路及び復路の凹部又は凸部における走査速度を前記凹部又は前記凸部以外の部分における走査速度よりも遅く設定する処理を前記コンピュータが実行し、
前記第２制御信号を出力する処理において、設定された前記一のラインの往路及び復路の走査速度に基づいて前記一のラインの往路及び復路を走査するための制御信号を出力する処理を前記コンピュータが実行することを特徴とする、付記６に記載の走査型プローブ顕微鏡の制御方法。
【００９０】
（付記９）
前記走査速度を設定する処理において、前記第１制御信号に応じた前記一のラインの走査によって得られた前記測定試料表面の凹凸情報に基づいて、前記一のラインの前記凹部の側面又は前記凸部の側面における走査速度を前記一のラインの前記凹部の底面又は前記凸部の頂面における走査速度よりも遅く設定する処理を前記コンピュータが実行することを特徴とする、付記６〜８のいずれか１項に記載の走査型プローブ顕微鏡の制御方法。
【００９１】
（付記１０）
前記走査速度を設定する処理において、前記一のラインの前記凹部の深さ又は前記凸部の高さが第１設定値を超えている場合に、前記一のラインの凹部又は凸部における走査速度を前記凹部又は前記凸部以外の部分における走査速度よりも遅く設定する処理を前記コンピュータが実行し、
さらに、前記第１制御信号に応じた前記一のラインの走査によって得られた前記測定試料表面の凹凸情報と、前記第２制御信号に応じた前記一のラインの走査によって得られた前記測定試料表面の凹凸情報との差が第２設定値を超えている場合に、前記第１設定値を小さい値に変更して、前記第１制御信号を出力する処理、前記走査速度を設定する処理及び前記第２制御信号を出力する処理を前記コンピュータが実行することを特徴とする、付記６、７、９のいずれか１項に記載の走査型プローブ顕微鏡の制御方法。
【００９２】
（付記１１）
測定試料の表面上の一のラインを走査するための第１制御信号を出力する第１制御信号出力部と、
前記第１制御信号出力部から出力された前記第１制御信号に応じた前記一のラインの走査によって得られた前記測定試料表面の凹凸情報に基づいて前記一のラインの凹部又は凸部における走査速度を前記凹部又は前記凸部以外の部分における走査速度よりも遅く設定する走査速度設定部と、
前記走査速度設定部によって設定された前記一のラインの走査速度に基づいて前記一のラインを走査するための第２制御信号を出力する第２制御信号出力部とを備えることを特徴とする走査型プローブ顕微鏡の制御装置。
【００９３】
（付記１２）
前記第１制御信号出力部は、前記一のラインの往路を走査するための制御信号を出力し、
前記走査速度設定部は、前記第１制御信号に応じた前記一のラインの往路の走査によって得られた前記測定試料表面の凹凸情報に基づいて前記一のラインの復路の凹部又は凸部における走査速度を前記凹部又は前記凸部以外の部分における走査速度よりも遅く設定し、
前記第２制御信号出力部は、設定された前記一のラインの復路の走査速度に基づいて前記一のラインの復路を走査するための制御信号を出力することを特徴とする、付記１１に記載の走査型プローブ顕微鏡の制御装置。
【００９４】
（付記１３）
前記第１制御信号出力部は、前記一のラインの往路及び復路を走査するための制御信号を出力し、
前記走査速度設定部は、前記第１制御信号に応じた前記一のラインの往路及び復路の走査によって得られた前記測定試料表面の凹凸情報に基づいて前記一のラインの往路及び復路の凹部又は凸部における走査速度を前記凹部又は前記凸部以外の部分における走査速度よりも遅く設定し、
前記第２制御信号出力部は、設定された前記一のラインの往路及び復路の走査速度に基づいて前記一のラインの往路及び復路を走査するための制御信号を出力することを特徴とする、付記１１に記載の走査型プローブ顕微鏡の制御装置。
【００９５】
（付記１４）
前記走査速度設定部は、前記第１制御信号に応じた前記一のラインの走査によって得られた前記測定試料表面の凹凸情報に基づいて、前記一のラインの前記凹部の側面又は前記凸部の側面における走査速度を前記一のラインの前記凹部の底面又は前記凸部の頂面における走査速度よりも遅く設定することを特徴とする、付記１１〜１３のいずれか１項に記載の走査型プローブ顕微鏡の制御装置。
【００９６】
（付記１５）
前記走査速度設定部は、前記一のラインの前記凹部の深さ又は前記凸部の高さが第１設定値を超えている場合に、前記一のラインの凹部又は凸部における走査速度を前記凹部又は前記凸部以外の部分における走査速度よりも遅く設定し、
さらに、前記第１制御信号に応じた前記一のラインの走査によって得られた前記測定試料表面の凹凸情報と、前記第２制御信号に応じた前記一のラインの走査によって得られた前記測定試料表面の凹凸情報との差が第２設定値を超えている場合に、前記第１設定値を小さい値に変更して、前記第１制御信号を出力する処理、前記走査速度を設定する処理及び前記第２制御信号を出力する処理を行なう再測定部を備えることを特徴とする、付記１１、１２、１４のいずれか１項に記載の走査型プローブ顕微鏡の制御装置。
【符号の説明】
【００９７】
１  原子間力顕微鏡
２  プローブ
２Ａ  カンチレバー
２Ｂ  探針
３  測定試料
４  ステージ
５  スキャナ
６  ＸＹ駆動回路
７  Ｚ位置検出系
８  Ｚフィードバック回路
９  物性値検出系
１０  コンピュータ
１１  半導体レーザ
１２  ４分割フォトダイオード
１３  ミラー
１４  差動アンプ
２０  原子間力顕微鏡の制御装置（走査型プローブ顕微鏡の制御装置）
２１  制御信号出力部
２１Ａ  第１制御信号出力部
２１Ｂ  第２制御信号出力部
２２  凹凸情報取得部
２３  走査速度設定部
２４  再測定部
３０  凹部
３０Ａ  凹部の底面
３０Ｂ，３０Ｃ  凹部の側面
３１  凸部
３１Ａ  凸部の頂面
３１Ｂ，３１Ｃ  凸部の側面
３２  凹部又は凸部以外の部分（平坦部分）
１０１  メモリ
１０２  ＣＰＵ
１０３  表示制御部
１０４  表示装置
１０５  記憶装置
１０６  入力装置
１０７  ドライブ装置
１０８  可搬型記録媒体
１０９  通信制御部
１１０  バス
【図１】
2014235096.tif 000003
【図２】
2014235096.tif 000004
【図３】
2014235096.tif 000005
【図４】
2014235096.tif 000006
【図５】
2014235096.tif 000007
【図６】
2014235096.tif 000008
【図７】
2014235096.tif 000009
【図８】
2014235096.tif 000010
【図９】
2014235096.tif 000011